(57)【特許請求の範囲】
【請求項１】
第１外壁パネルと、前記第１外壁パネルに隣接する第２外壁パネルと、前記第１外壁パネルが組み付けられる第１柱と、止水部とを備え、
前記止水部は、チューブ状ガスケットと、前記チューブ状ガスケットと前記第１外壁パネルおよび前記第２外壁パネルの各内側角部との協働により同第１外壁パネルと同第２外壁パネルとの目地部を止水する１次止水部を含み、
前記チューブ状ガスケットは、前記第１柱のほぼ中央に縦長に配設され、
前記チューブ状ガスケットは、前記第１外壁パネルの外壁面材の内側側端部が押圧状態で当接されるとともに、前記第２外壁パネルの外壁面材の内側側端部が押圧状態で当接されることにより、前記目地部の止水をなす
ことを特徴とする外壁構造。
【請求項２】
止水部はさらに２次止水部を含み、
前記２次止水部は、第１柱に配設された２次止水材と、該２次止水材と協働して止水をなす第２外壁パネルに配設された第２外壁パネル側止水材とを有することを特徴とする請求項１記載の外壁構造。
【請求項３】
外壁パネルが、外壁面材の側端内側角にＬ字状ガスケットを有することを特徴とする請求項１記載の外壁構造。
【請求項４】
第１外壁パネルと、前記第１外壁パネルに隣接する第２外壁パネルと、前記第１外壁パネルが組み付けられる第１柱と、止水部とを備えてなる外壁構造の構築方法であって、
前記止水部は、チューブ状ガスケットと、前記チューブ状ガスケットと前記第１外壁パネルおよび前記第２外壁パネルの各内側角部との協働により同第１外壁パネルと同第２外壁パネルとの目地部を止水する１次止水部を含み、
前記第１柱のほぼ中央にチューブ状ガスケットを縦長に配設する手順と、
前記チューブ状ガスケットに前記第１外壁パネルの外壁面材の内側側端部を押圧状態で当接させた状態で、同第１外壁パネルを前記第１柱に組み付ける手順と、
前記チューブ状ガスケットに前記第２外壁パネルの外壁面材の内側側端部を押圧状態で当接させた状態で、同第２外壁パネルを前記第１柱に組み付ける手順
とを含むことを特徴とする外壁構造の構築方法。
【請求項５】
第１柱に２次止水材を配設する手順と、前記２次止水材と協働して止水をなす第２外壁パネル側止水材を第２外壁パネルに配設する手順とにより、２次止水部を形成することを特徴とする請求項４記載の外壁構造の構築方法。
【請求項６】
外壁パネルの外壁面材の側端内側角にＬ字状ガスケットを配設する手順が付加されていることを特徴とする請求項４記載の外壁構造の構築方法。
【発明の詳細な説明】
【技術分野】
【０００１】
本発明は外壁構造およびその構築方法に関する。さらに詳しくは、目地部の施工が簡素化される外壁構造およびその構築方法に関する。
【背景技術】
【０００２】
従来より、パネル化工法が適用された外壁構造Ｋ‘においては、施工の簡素化を図る観点から目地部に、図１５に示すように、いわゆる乾式目地ａが用いられている。
【０００３】
かかる乾式目地ａの施工は、外壁パネル１０‘，２０’の組み付け完了後に、高所作業車や目地部に設けられた足場を利用し、柱Ｃ１‘，Ｃ２’などの躯体に設けられた目地取付部材ｂに乾式ガスケットｃをクリップ留めすることによりなされている。
【０００４】
しかしながら、従来の乾式目地ａにおいては、外壁パネル１０‘，２０’の組み付け完了後に目地部の施工をなしているため、工期の長期化を招来しているという問題がある。
【０００５】
また、高所作業車や目地部に設けられた足場を利用して施工しているため、施工コストの上昇を招来するとともに、外構の施工が目地の施工完了後にしなければならないという工程上の制約も招来しているという問題もある。
【０００６】
さらに、乾式ガスケットｃの寸法が一定であるところから、外壁パネル１０‘，２０’の組み付け公差が設計値に対して±２ｍｍと厳しく設定されているため、外壁パネル１０‘，２０’の組み付け期間の長期化および組付コストの上昇を招来しているという問題もある。
【０００７】
その上、乾式ガスケットｃは変形しやすいので、据付時に取り扱いを誤ると変形して目地部の外観を損なうという問題もある。
【発明の開示】
【発明が解決しようとする課題】
【０００８】
本発明はかかる従来技術の課題に鑑みなされたものであって、外壁パネルの組付と同時に、目地部の施工も完了する外壁構造およびその構築方法を提供することを目的としている。
【課題を解決するための手段】
【０００９】
本発明の外壁構造は、第１外壁パネルと、前記第１外壁パネルに隣接する第２外壁パネルと、前記第１外壁パネルが組み付けられる第１柱と、止水部とを備え、前記止水部は、チューブ状ガスケットと、前記チューブ状ガスケットと前記第１外壁パネルおよび前記第２外壁パネルの各内側角部との協働により同第１外壁パネルと同第２外壁パネルとの目地部を止水する１次止水部を含み、前記チューブ状ガスケットは、前記第１柱のほぼ中央に縦長に配設され、前記チューブ状ガスケットは、前記第１外壁パネルの外壁面材の内側側端部が押圧状態で当接されるとともに、前記第２外壁パネルの外壁面材の内側側端部が押圧状態で当接されることにより、前記目地部の止水をなすことを特徴とする。
【００１０】
本発明の外壁構造においては、止水部はさらに２次止水部を含み、前記２次止水部は、第１柱に配設された２次止水材と、該２次止水材と協働して止水をなす第２外壁パネルに配設された第２外壁パネル側止水材とを有するのが好ましい。
【００１１】
また、本発明の外壁構造においては、外壁パネルが、外壁面材の側端内側角にＬ字状ガスケットを有するのが好ましい。
【００１２】
本発明の外壁構造の構築方法は、第１外壁パネルと、前記第１外壁パネルに隣接する第２外壁パネルと、前記第１外壁パネルが組み付けられる第１柱と、止水部とを備えてなる外壁構造の構築方法であって、前記止水部は、チューブ状ガスケットと、前記チューブ状ガスケットと前記第１外壁パネルおよび前記第２外壁パネルの各内側角部との協働により同第１外壁パネルと同第２外壁パネルとの目地部を止水する１次止水部を含み、前記第１柱のほぼ中央にチューブ状ガスケットを縦長に配設する手順と、前記チューブ状ガスケットに前記第１外壁パネルの外壁面材の内側側端部を押圧状態で当接させた状態で、同第１外壁パネルを前記第１柱に組み付ける手順と、前記チューブ状ガスケットに前記第２外壁パネルの外壁面材の内側側端部を押圧状態で当接させた状態で、同第２外壁パネルを前記第１柱に組み付ける手順とを含むことを特徴とする。
【００１３】
本発明の外壁構造の構築方法においては、第１柱に２次止水材を配設する手順と、前記２次止水材と協働して止水をなす第２外壁パネル側止水材を第２外壁パネルに配設する手順とにより、２次止水部を形成するのが好ましい。
【００１４】
また、本発明の外壁構造の構築方法においては、外壁パネルの外壁面材の側端内側角にＬ字状ガスケットを配設する手順が付加されているのが好ましい。
【発明の効果】
【００１５】
本発明によれば、外壁パネルの建て込みと同時に目地部の止水も完了するので、施工期間が短縮されるとともに、施工コストも低減されるという優れた効果が得られる。
【発明を実施するための最良の形態】
【００１６】
以下、添付図面を参照しながら本発明を実施形態に基づいて説明するが、本発明はかかる実施形態のみに限定されるものではない。
【００１７】
実施形態１
本発明の実施形態１に係る外壁構造Ｋの要部を図１および図２に示す。
【００１８】
外壁構造Ｋは、図１および図２に示すように、躯体としての第１柱Ｃ１と、第１柱Ｃ１に組み付けられる第１外壁パネル１０と、第１柱Ｃ１に例えばボルト留めにて一体化される第２柱Ｃ２を有する第２外壁パネル２０と、外壁パネル１０，２０の側端部と柱Ｃ１．Ｃ２との止水をなす止水部３０とを主要構成要素として備えてなるものとされる。なお、図示例においては、第１外壁パネル１０は図中左側に配置され、第２外壁パネル２０は図中右側に配置されているが、第１外壁パネル１０が図中右側に配置され、第２外壁パネル２０が図中左側に配置されてもよい。
【００１９】
止水部３０は、具体的には、第１外壁パネル１０と第２外壁パネル２０との間隙、つまり目地部を止水する１次止水部４０と、第２外壁パネル２０側端部内面と第１柱Ｃ１の外面（外壁パネル取付面）との間の止水をなす２次止水部５０とを備えてなるものとされる。
【００２０】
１次止水部４０は、第１柱Ｃ１の外面のほぼ中央に縦長に配設されたチューブ状ガスケット４１と、第１外壁パネル１０の外壁面材側端の内側角部に沿って配設された第１Ｌ字状ガスケット４２と、第２外壁パネル２０の外壁面材側端の内側角部に沿って配設された第２Ｌ字状ガスケット４３とを含むものとされる。
【００２１】
チューブ状ガスケット４１は、弾力性を有する合成樹脂、例えばシリコンゴムを平板基底部を有するトンネル状、つまり頂部を円弧状に形成してなるものとされ、平板基底部が適宜手段、例えば両面テープにより第１柱Ｃ１の外面に取り付けられる。円弧状部の位置は、第１外壁パネル１０および第２外壁パネル２０が組み付けられた際に、円弧状部が第１Ｌ字状ガスケット４２および第２Ｌ字状ガスケット４３により押圧されて弾発変形して止水するように調整されている。
【００２２】
図３に、両面テープにより取り付ける場合のチューブ状ガスケットの例を断面図で示す。図３（ａ）に示す例においては、チューブ状ガスケット４１の幅は、例えば１８ｍｍとされ、高さは１９ｍｍとされ、厚みは基底部４１ａが３ｍｍ程度とされ、トンネル状の頂部４１ｂが２ｍｍ〜３ｍｍ程度とされる。
【００２３】
図４に、ビス留めにより取り付ける場合のチューブ状ガスケット４１Ａの一例を断面図で示す。図４に示す例においては、基底部４１ａの両側にビス取付部４１ｃが一体化形成されている。
【００２４】
図５に、クリップ留めにより取り付ける場合のチューブ状ガスケット４１Ｂの一例を断面図で示す。図５に示す例においては、基底部４１ａ中央にクリップｐを挿通する段付孔４１ｄが貫通形成されている。
【００２５】
図６に、第１Ｌ字状ガスケット４２の一例を断面図で示す。第１Ｌ字状ガスケット４２は、弾力性を有する合成樹脂、例えばシリコンゴムからなるものとされ、図６に示すように、第１外壁パネル１０の外壁面材の側端面に沿う部分の外面４２ａは、先細のテーパー状に形成されている。第２Ｌ字状ガスケット４３は、第１Ｌ字状ガスケット４２と左右対称とされている他は、第１Ｌ字状ガスケット４２と同様とされている。
【００２６】
かかる構成とされたチューブ状ガスケット４１は、第２外壁パネル２０の組み付け方により変形の仕方が異なる。
【００２７】
例えば、図７に示すように、第２外壁パネル２０を屋外側から垂直方向に移動させながら組み付けた場合におけるチューブ状ガスケット４１の変形を図８に模式的に示す。なお、図７において、柱Ｃ１，Ｃ２の大きさは作図の便宜上、誇張されている。
【００２８】
また、図９に示すように、第２外壁パネル２０を屋外側から斜め横方向に移動させながら組み付けた場合におけるチューブ状ガスケット４１の変形を図１０に模式的に示す。なお、図９において、柱Ｃ１，Ｃ２の大きさは作図の便宜上、誇張されている。
【００２９】
このように、チューブ状ガスケット４１の頂部４１ｂを円弧状としているところから、第２外壁パネル２０を垂直方向から組み付けることができるとともに、斜め横方向からも組み付けることができるので、建方の自由度が大きくなる。また、チューブ状ガスケット４１の変形部は、おおむね第２外壁パネル２０の裏側に隠れるとともに、第１および第２Ｌ字状ガスケット４２、４３の外壁パネル１０、２０の端面に沿う部分が先細に形成されているため、目地部の見栄えが悪くなるおそれもない。さらに、第２外壁パネル２０は、チューブ状ガスケット４１に当接さえすれば目地の止水がなし得るので、第２外壁パネル２０の据付公差を従来より大きくすることができる。例えば、設計値に対して±４ｍｍとすることができる。
【００３０】
２次止水部５０は、第１柱Ｃ１の外面の第２外壁パネル２０側でチューブ状ガスケット４１に並設された撥水性合成樹脂、例えば撥水性ウレタン発泡体からなる角型の２次止水材５１と、第２外壁パネル２０の側端の内側に配設され前記２次止水材５１と協働して止水をなす、第２外壁パネル側止水材５２とを含むものとされる。ここで、第２外壁パネル側止水材５２は、具体的には、両面テープにより固定された透湿防水シート２１の端部とされる。
【００３１】
次に、かかる構成とされている外壁構造Ｋの各部の製作について説明する。
【００３２】
手順１：第１柱Ｃ１の外面のほぼ中央にチューブ状ガスケット４１および２次止水材５１を取り付ける。
【００３３】
手順２：第１柱Ｃ１の外面に第１外壁パネル１０を取り付ける。
【００３４】
手順３：第１外壁パネル１０の外壁面材の端部内側に第１Ｌ字状ガスケット４２を取り付ける。この取付は、チューブ状ガスケット４１を圧縮するようにしてなす。これにより、第１外壁パネル１０側端部の止水が完了する。
【００３５】
手順４：第２外壁パネル２０に第２柱Ｃ２を取り付ける。
【００３６】
手順５：第２外壁パネル２０の外壁面材の端部内側に第２Ｌ字状ガスケット４３を取り付ける。
【００３７】
なお、手順１〜３と手順４および５は並列にされてもよい。
【００３８】
次に、かかる構成とされている外壁構造Ｋの施工について説明する。
【００３９】
手順１１：第１外壁パネル１０の取り付けられた第１柱Ｃ１を基礎に据え付け、第１外壁パネル１０を建て込む。
【００４０】
手順１２：第２外壁パネル２０を屋外側から屋内側に引き込むようにして第２外壁パネル２０を建て込む（図１および１１参照）。
【００４１】
手順１３：第２柱Ｃ２の脚部を基礎に据え付けるとともに、側面を第１柱Ｃ１にボルト留めする（図２および１２参照）。これにより、目地部の止水および第２外壁パネル２０と柱Ｃ１間の止水が完了する。
【００４２】
このように、この実施形態１によれば、外壁パネル２０の建込完了と同時に目地部の止水および柱Ｃ１と外壁パネル２０との間の止水が完了する。このため、施工期間が著しく短縮されるとともに、施工コストが低減される。
【００４３】
また、外壁パネル１０、２０の建て込みが完了した後にただちに外構工事をなすことができるので、全体の工期も短縮される。その上、前述したように、第２外壁パネル２０はチューブ状ガスケット４１に当接してそれを圧縮さえすれば止水がなし得るので、据付公差を従来より大きくすることができる。また、これにより、据付コストの一層の低減が図られる。
【００４４】
さらに、先細テーパー状とされたＬ字状ガスケット４２、４３を設けているので、目地部の概観を損なうこともない。
【００４５】
実施形態２
本発明の実施形態２に係る外壁構造の要部を図１３に示す。
【００４６】
実施形態２は、図１３に示すように、実施形態１におけるチューブ状ガスケット４１の基底部の肉厚を、例えば図３（ｂ）に示すように厚くして第１外壁パネル１０および第２外壁パネル２０の各外壁面材側端の内側角部との取り合い位置を調整し、それによりＬ字状ガスケット４２、４３を不要として構成の簡素化を図ってなるものとされる。
【００４７】
なお、実施形態２のその余の構成は、実施形態１とほぼ同様とされているので、その詳細な説明は省略する。図中、符号Ｄは断熱材を示す。
【００４８】
このように、実施形態２においては、Ｌ字状ガスケットは不要とされているので、外壁パネル製造の製造コストが低減されるとともに、製造期間も短縮される。
【００４９】
以上、本発明を実施形態に基づいて説明してきたが、本発明はかかる実施形態のみに限定されるものではなく、種々改変が可能である。
【００５０】
例えば、チューブ状ガスケット４１を、図１４に示すように、基底部４５とトンネル状部４６とに分離し、トンネル状部４６の弾力性の向上を図るようにしてもよい。
【００５１】
また、第２柱Ｃ２に代えてフレームとされてもよい。
【産業上の利用可能性】
【００５２】
本発明は、住宅や店舗などの建物の外壁に適用できる。
【図面の簡単な説明】
【００５３】
【図１】本発明の実施形態１に係る外壁構造の要部水平断面図であって、第２外壁パネルの建て込み完了前の状態を示す。
【図２】同建て込み完了後の状態を示す。
【図３】チューブ状ガスケットの一例の断面図である。
【図４】チューブ状ガスケットの他の例の断面図である。
【図５】チューブ状ガスケットのさらに他の例の断面図である。
【図６】第１Ｌ字状ガスケットの一例の断面図である。
【図７】第２外壁パネルの建て込みの説明図であって、屋外側から垂直に移動させながら建て込む状態を示す。
【図８】同建て込みによる場合のチューブ状ガスケットの変形状態の模式図である。
【図９】第２外壁パネルの建て込みの説明図であって、屋外側から斜めに移動させながら建て込む状態を示す。
【図１０】同建て込みによる場合のチューブ状ガスケットの変形状態の模式図である。
【図１１】本発明の実施形態１に係る外壁構造の施工手順の説明図であって、第２外壁パネルの建て込んでいる状態を示す。
【図１２】本発明の実施形態１に係る外壁構造の施工手順の説明図であって、第２外壁パネルの建て込んだ状態を示す。
【図１３】本発明の実施形態２の外壁構造の図１相当図である。
【図１４】チューブ状ガスケットのさらに他の例の断面図である。
【図１５】従来の外壁構造の図２相当図である。
【符号の説明】
【００５４】
１０      第１外壁パネル
２０      第２外壁パネル
２１      透湿防水シート
３０      止水部
４０      1次止水部
４１      チューブ状ガスケット
４２      第１Ｌ字状ガスケット
４３      第２Ｌ字状ガスケット
５０      ２次止水部
５１      ２次止水部材
５２      第２外壁パネル側止水材
Ｋ      外壁構造
Ｃ１      第１柱
Ｃ２      第２柱
【図１】
0005255257.tif 000002
【図２】
0005255257.tif 000003
【図３】
0005255257.tif 000004
【図４】
0005255257.tif 000005
【図５】
0005255257.tif 000006
【図６】
0005255257.tif 000007
【図７】
0005255257.tif 000008
【図８】
0005255257.tif 000009
【図９】
0005255257.tif 000010
【図１０】
0005255257.tif 000011
【図１１】
0005255257.tif 000012
【図１２】
0005255257.tif 000013
【図１３】
0005255257.tif 000014
【図１４】
0005255257.tif 000015
【図１５】
0005255257.tif 000016